(57)【要約】【課題】前方の送迎用車両と自車両との接触の可能性を極力回避すること。【解決手段】送迎用車両（３）の後方を走行する自車両（１、２）の運転を支援する運転支援装置（１０）は、自車両の前方を撮像する撮像手段（１２）と、撮像手段によって撮像される撮像画像に基づいて自車両の動作を制御する制御手段（１３）と、を備える。制御手段は、撮像画像に基づいて送迎用車両の停止及び発進を判定し、送迎用車両の停止後の発進が近いと判定した場合、自車両に対して所定の制御を実施する。【選択図】図３
2019164452.tif 000002
【特許請求の範囲】
【請求項１】
送迎用車両の後方を走行する自車両の運転を支援する運転支援装置であって、
前記自車両の前方を撮像する撮像手段と、
前記撮像手段によって撮像される撮像画像に基づいて前記自車両の動作を制御する制御手段と、を備え、
前記制御手段は、前記撮像画像に基づいて前記送迎用車両の停止及び発進を判定し、前記送迎用車両の停止後の発進が近いと判定した場合、前記自車両に対して所定の制御を実施することを特徴とする運転支援装置。
【請求項２】
前記制御手段は、前記所定の制御として、前記自車両の運転者に対する警告及び／又は前記自車両の制動制御を実施することを特徴とする請求項１に記載の運転支援装置。
【請求項３】
前記制御手段は、前記送迎用車両の側方に存在する人物の動作に基づいて前記送迎用車両の発進を判定することを特徴とする請求項１又は請求項２に記載の運転支援装置。
【請求項４】
前記制御手段は、前記人物の動作について画像処理を利用して判定することを特徴とする請求項３に記載の運転支援装置。
【請求項５】
前記自車両は、自動運転車両であることを特徴とする請求項１から請求項４のいずれかに記載の運転支援装置。
【発明の詳細な説明】
【技術分野】
【０００１】
本発明は、運転支援装置に関する。
【背景技術】
【０００２】
従来、車両前方の横断歩道を横断しようとしている人物がいるときに、適切な走行支援制御を行う車両用走行支援装置が提案されている（例えば、特許文献１参照）。特許文献１に記載の車両用走行支援装置では、ステレオカメラで撮像した画像に基づいて自車の前方の横断歩道や人物を認識し、当該人物が横断歩道から所定範囲内に位置しているか否かに基づいて所定の走行支援制御を実施する。
【先行技術文献】
【特許文献】
【０００３】
【特許文献１】特開２００６−２４４２９５号公報
【発明の概要】
【発明が解決しようとする課題】
【０００４】
ところで、スクールバスや高齢者福祉施設向けの送迎用車両が自車の前方を走行している場合、当該送迎用車両においては、横断歩道の有無にかかわらず、停止して複数の人物の昇降が想定される。このような場合、自車の運転動作としては、送迎用車両を追い越すことや、当該送迎用車両が発進するのを待つこと等が考えられる。このため、送迎用車両の発進のタイミングによっては、自車と送迎用車両との接触の可能性があった。
【０００５】
この点、特許文献１は、あくまで横断歩道を横断しようとしている歩行者に対して車両の走行支援を実施するものであり、上記のような送迎用車両を想定したものではない。このため、走行支援制御として更なる改善が求められていた。
【０００６】
本発明は係る点に鑑みてなされたものであり、前方の送迎用車両と自車両との接触可能性を極力回避することが可能な運転支援装置を提供することを目的とする。
【課題を解決するための手段】
【０００７】
本発明の一態様の運転支援装置は、送迎用車両の後方を走行する自車両の運転を支援する運転支援装置であって、前記自車両の前方を撮像する撮像手段と、前記撮像手段によって撮像される撮像画像に基づいて自車両の動作を制御する制御手段と、を備え、前記制御手段は、前記撮像画像に基づいて前記送迎用車両の停止及び発進を判定し、前記送迎用車両の停止後の発進が近いと判定した場合、前記自車両に対して所定の制御を実施することを特徴とする。
【発明の効果】
【０００８】
本発明によれば、前方の送迎用車両と自車両との接触の可能性を極力回避することができる。
【図面の簡単な説明】
【０００９】
【図１】本実施の形態に係る運転支援装置の運転支援対象となる道路の説明図（上面図）である。
【図２】本実施の形態に係る運転支援装置の機能ブロック図である。
【図３】本実施の形態に係る運転支援装置の撮像手段で撮影された撮影画像の一例の説明図である。
【図４】本実施の形態に係る運転支援装置における運転支援動作を説明するためのフロー図である。
【図５】送迎用車両の一例を示す背面図である。
【発明を実施するための形態】
【００１０】
以下、本発明の実施の形態について添付図面を参照して詳細に説明する。なお、以下においては、本発明に係る運転支援装置を自車両である手動運転車両に適用した例について説明するが、適用対象はこれに限定されることなく変更可能である。例えば、本発明に係る運転支援装置を自車両として自動運転車両に適用してもよい。また、車両のタイプは特に限定されることなく、四輪車、二輪車・三輪車等の鞍乗型車両のどちらのタイプの車両であってもよい。
【００１１】
図１を参照して、本発明の適用対象となる道路の状況について説明する。図１は、本実施の形態に係る運転支援装置の運転支援対象となる道路の説明図（上面図）である。なお、本実施の形態においては、運転支援装置が自車両に適用される場合について説明する。また、以下の説明では、自車両として二輪車及び四輪車を例示している。
【００１２】
図１に示すように、自車両としての二輪車１及び四輪車２が走行する道路は、片道２車線の道路である。進行方向に対して、左側に位置する走行車線では、送迎用車両３が走行しており、送迎用車両３の後方には、他の四輪車４を介して、自車両である二輪車１及び四輪車２がこの順番に走行車線を走行している。また、四輪車４の右側に位置する追い越し車線では、他の四輪車５が走行している。なお、自車両と送迎用車両３との間に他の四輪車４が多数存在しているか、他の四輪車４が中・大型車両であった場合は、自車両にとっては、図１に示す状況と比べた場合よりも、更に送迎用車両３の発進のタイミング判断がし難くなる。
【００１３】
送迎用車両３は、幼稚園に通う園児等が乗るスクールバスであり、例えばマイクロバスで構成される。なお、送迎用車両３は、これに限らず、例えば高齢者福祉施設向けの車両であってもよい。
【００１４】
一般に、上記した送迎用車両３は、園児や高齢者等を送迎するため、周囲の交通事情を考量しながら、当事者間で予め取り決めた場所で園児等の乗り降りが想定される。しかしながら、道路の混雑状況等の交通事情は常に変化している。特に、通期時間帯や荒天時等においては、交通量が通常に比べて多くなる。このため、園児等の乗り降りの度に送迎用車両３の停止／発進が繰り返されると、交通渋滞の要因と成り得る。よって、後続の車両は、送迎用車両３の傍を通過する際には注意が必要である。
【００１５】
特に、送迎用車両３の発進のタイミングをある程度正確に把握できないと、後続車両の運転者は、送迎用車両３を追い越すのか、それとも送迎用車両３が完全に発進するのに合わせて減速するのか、等の判断がし難くなることが想定される。したがって、当該送迎用車両を起点として、交通渋滞が発生し易くなってしまう。また、二輪車１等の鞍乗型車両が送迎用車両３の横をすり抜ける場合や、四輪車２が送迎用車両３を追い越す場合には、送迎用車両３に対する異常接近や接触の可能性がある。
【００１６】
その対応策として、例えば、「送迎用車両３の停止時は追い越し禁止にする」というような条例を定めることが考えられる。しかしながら、全ての送迎用車両３に対してこのような条例を定めることは現実的ではなく、かえって交通渋滞の増加を助長し、更には交通事故を誘発する可能性がある。したがって、条例等による一律の規制では課題が残ることになる。
【００１７】
一方で、送迎用車両３の方向指示器の点滅開始時期に基づいて、送迎用車両３の発進タイミングを推定することは、ある程度可能である。しかしながら、送迎用車両３と自車両（二輪車１又は四輪車２）との間に後続車両（他の四輪車４）が存在した場合、送迎用車両３の方向指示器が後続車両の陰に隠れてしまい、自車両から目視できないことが想定される（図３参照）。また、方向指示器が点滅したからといって、直ちに送迎用車両３が発進するとは一概にはいえない。
【００１８】
また、今後は自動運転車両を普及させていく必要があるが、そのためには、上記のような送迎用車両３の発進判断をより簡易かつ正確に行うことが求められる。また、地方においては、高齢者でも移動手段として四輪車を選択せざるを得ない場合が多い。更に、漫然運転に対する配慮も必要である。このような観点からも何らかの予防安全対策が望まれる。更には、自車両が二輪車１等の鞍乗型車両の場合、運転者がヘルメットを着用しているために視界が狭くなりがちであり、送迎用車両３の発進判断に際し、何らかの運転支援があるとより効果的である。
【００１９】
本件発明者は、これらの事情に鑑みて、送迎用車両３の運転特性及び送迎用車両３を利用する人物等に着目し、本発明に想到した。本実施の形態では、自車両の前方を撮像手段１２（図２参照）で撮像し、制御手段１３（図２参照）が撮像画像に基づいて自車両の動作を制御する。
【００２０】
具体的に制御手段１３は、撮像手段１２によって撮像される撮像画像を参照し、当該撮像画像に送迎用車両３が含まれる場合には、当該送迎用車両３の周囲の人物（例えば、園児の保護者）の動作に基づいて送迎用車両３の停止及び発進を推定する。そして、制御手段１３は、送迎用車両３の停止後の発進が近いと判定した場合、自車両に対して所定の制御を実施する。
【００２１】
詳細は後述するが、所定の制御としては、自車両の運転者に対する警告（報知）や自車両の制動制御が考えられる。これにより、送迎用車両３の発進時の危険を予知することが可能であり、自車両の前方の送迎用車両３と自車両との接触可能性を極力回避することができる。
【００２２】
特に本件発明者は、送迎用車両３を利用する園児（高齢者）の保護者（関係者）の動きに着目した。通常、園児が送迎用車両３に対して乗り降りする際には、園児の保護者が送迎用車両３の側方、すなわち、道路の路肩や歩道に待機している。そして、保護者は、送迎用車両３が発進する際、送迎用車両３を見送るために送迎用車両３内の関係者や園児に向かってお辞儀や手振り等、何らかの挨拶を行う。この挨拶は、日本の慣例からいえば、ほぼ確実に行われる。
【００２３】
本実施の形態では、このような保護者の挨拶動作を撮像手段１２の撮像画像から認識し、送迎用車両３の発進の合図として活用している（例えば、図３参照）。この結果、送迎用車両３の発進タイミングをより正確に推定することを可能にしている。
【００２４】
次に、図２を参照して、本実施の形態に運転支援装置の構成について説明する。図２は、本実施の形態に係る運転支援装置の機能ブロック図である。なお、自車両は、以下に示す構成に限定されず、車両が通常備える構成（例えば車速センサ）は当然に備えているものとする。
【００２５】
上記したように、本実施の形態に係る運転支援装置１０は、送迎用車両３の後方を走行する自車両の運転支援するものであり、自車両に搭載される。具体的に運転支援装置１０は、図２に示すように、前方車両検出手段１１と、撮像手段１２と、制御手段１３と、警告手段１４と、減速手段１５とを含んで構成される。
【００２６】
前方車両検出手段１１は、自車両の前方を走行する車両を検出するものである。具体的に前方車両検出手段１１は、ミリ波レーダ、レーザレーダや超音波センサで構成され、例えば自車両の前方側に設けられる。前方車両検出手段１１は、前方に向かってミリ波等を発信し、前方車両（送迎用車両３等）で反射したミリ波を受信することで前方車両を検出する。前方車両検出手段１１で検知された前方車両の情報は、制御手段１３に出力される。制御手段１３は、前方車両検出手段１１が受信したミリ波に基づいて、自車両と前方車両との車間距離や相対速度等を検出する。
【００２７】
撮像手段１２は、自車両の前方を撮像するものである。具体的に撮像手段１２は、車載カメラで構成され、例えば自車両の前方側に設けられる。撮像手段１２は、図１に示すように所定の撮像範囲Ｒを有している。撮像範囲Ｒは、カメラの種類に応じて適宜変更が可能である。撮像手段１２によって撮像される撮像画像は、制御手段１３に出力され、自車両の運転支援制御に用いられる。
【００２８】
制御手段１３は、自車両の動作を統括制御するものである。具体的に制御手段１３は、ＥＣＵ（Electronic  Control  Unit）に備えられており、例えば各種処理を実行するプロセッサ（ＣＰＵ：Central  Processing  Unit）やメモリ等により構成される。メモリは、用途に応じてＲＯＭ（Read  Only  Memory）、ＲＡＭ（Random  Access  Memory）等の一つ又は複数の記憶媒体で構成される。また、制御手段１３は、上記した前方車両検出手段１１、撮像手段１２から出力される各種信号に基づいて自車両の動作を制御する。
【００２９】
例えば、制御手段１３は、撮像手段１２によって撮像される撮像画像に基づいて自車両の動作を制御するに際し、撮像画像に含まれる送迎用車両３の停止及び発進を判定する。送迎用車両３の停止及び発進の判定は、撮像画像に含まれる送迎用車両３の側方に存在する人物の動作に基づいて実施される。画像処理を利用した判断手法としては、例えば、一般的に用いられるパターンマッチングやテンプレートマッチングが採用される。なお、これに限らず、他の画像処理を利用した判断手法が採用されてもよい。
【００３０】
また、制御手段１３は、予めメモリに判定対象となる送迎用車両の画像パターンを複数記憶している。また、制御手段１３は、入力される撮像画像から自車両に関係しそうな送迎用車両のパターン（車種等）を取得し、学習機能によって随時更新してもよい。これにより、撮像画像から送迎用車両の認識精度を向上することが可能である。
【００３１】
警告手段１４は、制御手段１３の指令に基づいて、自車両に対する運転支援の一例として所定の警報を発する。警報の例としては、音を発生したり、スピードメータのディスプレイやナビゲーションシステムのディスプレイ（共に不図示）に警告を促すメッセージを表示することが考えられる。なお、警報を発する手段としてはこれに限らず、例えば、ステアリングやシートに振動を発生して運転者に警告を促す構成としてもよい。
【００３２】
減速手段１５は、自車両の速度を減速するものである。本実施の形態において減速手段１５は、制御手段１３の指令に基づいて、自車両に対する運転支援の一例として自車両の制動を実施する。減速手段１５の例としては、車輪の回転を制動するブレーキ装置等が挙げられる。なお、減速手段１５は、運転者の直接の操作に伴って作動するブレーキ装置に限らず、その他、ハイブリッド車や電動自動車における回生ブレーキや、変速に伴うエンジンブレーキ等、ＥＣＵ等によって自動的に制御される手段も含むものとする。
【００３３】
ここで、図３及び図４を参照して送迎用車両の発進を判定する具体的な方法について説明する。図３は、本実施の形態に係る運転支援装置の撮像手段で撮影された撮影画像の一例の説明図である。図３に示す撮像画像は、図１の道路状況に対応しており、説明の便宜上、自車両である二輪車１及び四輪車２を含めている（実際は自車両から撮像される撮像画像であるため、自車両は撮像画像には表れない）。図４は、本実施の形態に係る運転支援装置における運転支援動作を説明するためのフロー図である。なお、以下に示すフローでは、特に明示が無い限り、動作（算出（演算）や判定等）の主体は制御手段（ＥＣＵ）とする。
【００３４】
図１及び図３に示すように、自車両（二輪車１及び四輪車２）の前方に送迎用車両３が存在している。この例を想定して、以下、図４に示す制御フローについて説明する。
【００３５】
図４に示すように、制御が開始されると、ステップＳＴ１０１において、制御手段１３は、自車両の前方に停車中の送迎用車両３があるか否かを判定する。制御手段１３は、図３に示すような撮像画像に基づいて自車両の前方の所定範囲内に送迎用車両３の存在を判定する。なお、自車両の前方の所定範囲は、カメラの種類等に応じて適宜変更が可能である。
【００３６】
送迎用車両３が停止中であるか否かは、撮像画像中での送迎用車両３と周囲の風景との関係にて判定することが可能である。例えば、撮像画像に相対変化がない場合には、停止中と判定することができる。また、レーダ等の前方車両検出手段１１の出力も用いて送迎用車両３との相対距離や相対速度から送迎用車両３が移動していないかどうかの確認をすれば、更に精度を向上することが可能である。自車両の前方に送迎用車両３がある場合（ステップＳＴ１０１：ＹＥＳ）、ステップＳＴ１０２の処理に進む。自車両の前方に送迎用車両３がない場合（ステップＳＴ１０１：ＮＯ）、ステップＳＴ１０１の処理が繰り返される。
【００３７】
ステップＳＴ１０２において、制御手段１３は、送迎用車両３が自車両と進行方向が同一であるか否かを判定する。本実施の形態では、自車両が送迎用車両３の後方側から接近する場合を前提としており、送迎用車両３の前後の識別は、撮像画像から運転手が確認できるか否かで識別することが可能である。例えば、撮像画像から運転手が確認できた場合、自車両と送迎用車両３とは対向しており、互いの進行方向は異なっていると判定することが可能である。送迎用車両３が自車両と進行方向が同一である場合（ステップＳＴ１０２：ＹＥＳ）、ステップＳＴ１０３の処理に進む。送迎用車両３が自車両と進行方向が同一でない場合（ステップＳＴ１０３：ＮＯ）、ステップＳＴ１０１の処理に戻る。
【００３８】
ステップＳＴ１０３において、制御手段１３は、送迎用車両３の側方（左方）である歩道／路肩側に所定の人物がいるか否かを判定する。上記したように、幼稚園等のスクールバスにおいては、通常、保護者や関係者が路肩や歩道に待機しているため、これらの人物を認識するためである。歩道／路肩側に所定の人物がいる場合（ステップＳＴ１０３：ＹＥＳ）、ステップＳＴ１０４の処理に進む。歩道／路肩側に所定の人物がいない場合（ステップＳＴ１０３：ＮＯ）、ステップＳＴ１０１の処理に戻る。
【００３９】
ステップＳＴ１０４において、制御手段１３は、所定の人物（保護者等）が送迎用車両３に対して所定の動作（お辞儀等）をしているか否かを判定する。上記したように、保護者は、送迎用車両３の発進の際、送迎用車両３内の園児や関係者に対して何らかの挨拶を行うため、これを認識するためである。本実施の形態では、保護者の挨拶動作を送迎用車両３の発進タイミングを推定するための判断材料としている。挨拶としては、図１及び図３に示すように、お辞儀（人物Ａ参照）、会釈、所定時間の手振り（手を上げて振る（人物Ｂ参照）、胸の前で手を振る（人物Ｃ参照））等が挙げられる。先に記載したように、これら人物の姿勢や手や腕の位置等の画像における特徴を、パターンマッチングやテンプレートマッチング等の画像処理を使用した判断手法に活用する。
【００４０】
保護者等が送迎用車両３に対して、お辞儀、会釈、所定時間の手振り、胸の前で手を振る等をしている場合（ステップＳＴ１０４：ＹＥＳ）、ステップＳＴ１０５の処理に進む。所定の人物（保護者等）が送迎用車両３に対して、お辞儀、会釈、所定時間の手振り、胸の前で手を振る等をしていない場合（ステップＳＴ１０４：ＮＯ）、ステップＳＴ１０１の処理に戻る。
【００４１】
なお、送迎用車両３が到着（停止）する場合も同様に、これらの挨拶が行われる場合があるが、到着の場合、通常は減速して接近してくる送迎用車両３に顔を向けて行い、送迎用車両が到着して停車したときには上記動作はほぼ終わっている。仮に挨拶動作が終わっていなくても、すぐに乗車が始まるので、一般的にはごく短時間となる。一方、発進の場合の挨拶は、通常は停止している送迎用車両３に顔を向けて行い、送迎用車両３が停止状態から動き出すまでの間に行われることが多い。
【００４２】
すなわち、撮像画像において、挨拶動作中の保護者等の顔の向きを認識することで、送迎用車両３が停止するのか発進するのかを判定することが可能である。具体的に制御手段１３は、撮像画像において、挨拶動作中の保護者等の顔が自車両側に向いている場合、その後に送迎用車両３が停止する可能性があると判定する。この場合、撮像画像では、保護者の表情を認識することが可能である。一方、制御手段１３は、撮像画像において、挨拶動作中の保護者等の顔が送迎用車両側（側方又は前方）に向いている場合、その後に送迎用車両３が発進する可能性がある、すなわち、発進が近いと判定する。この場合、撮像画像では、保護者の横顔、又は後頭部を認識する。なお、保護者の顔の向きを判定するステップを１０４と１０５の間に追加することも可能である。システムとしては現状に対して多少複雑にはなるが、システムの確実性は向上する。
【００４３】
ステップＳＴ１０５において、制御手段１３は、送迎用車両３が発進する可能性があると判定する。そして、ステップＳＴ１０６の処理に進む。
【００４４】
ステップＳＴ１０６において、制御手段１３は、自車両が自動運転車両否かを判定する。自車両が自動運転車両である場合（ステップＳＴ１０６：ＹＥＳ）、ステップＳＴ１０７の処理に進む。自車両が自動運転車両でない、すなわち手動運転車両である場合（ステップＳＴ１０６：ＮＯ）、ステップＳＴ１０８の処理に進む。
【００４５】
ステップＳＴ１０７において、制御手段１３は、自車両を自動制御する。自動制御の内容としては、例えば、減速やステアリング操作が挙げられる。これにより、自車両が送迎用車両３に接触することを回避することが可能である。そして、制御は終了する。
【００４６】
ステップＳＴ１０８において、制御手段１３は、自車両に対して警告を実施する。警告（警報）の例としては、音を発生したり、ディスプレイに警告を促すメッセージを表示することが考えられる。これにより、自車両の運転者は、送迎用車両３の発進を明確に認識することが可能である。そして、ステップＳＴ１０９の処理に進む。
【００４７】
ステップＳＴ１０９において、制御手段１３は、自車両が送迎用車両３の横（例えば右側）を通過しようとしているか否かを判定する。制御手段１３は、例えば、ステアリング操作やアクセル操作の有無、上記した撮像画像やレーダ（前方車両検出手段１１）等の出力に基づいて自車両が送迎用車両３の横を通過しようとしているか否かを判定する。自車両が送迎用車両３の横を通過しようとしている場合（ステップＳＴ１０９：ＹＥＳ）、ステップＳＴ１１０の処理に進む。自車両が送迎用車両３の横を通過しようとしていない場合（ステップＳＴ１０９：ＮＯ）、制御は終了する。
【００４８】
ステップＳＴ１１０において、制御手段１３は、自車両が送迎用車両３に対して接触可能性があるか否かを判定する。制御手段１３は、道幅（自車両通過スペースの有無）、自車両に対する送迎用車両３の進路方向や発進加速度、送迎用車両付近の交通状況（渋滞状況）を考慮して判定することが可能である。これらの情報は、撮像画像やレーダ（前方車両検出手段１１）等から取得する。自車両が送迎用車両３に対して接触可能性がある場合（ステップＳＴ１１０：ＹＥＳ）、ステップＳＴ１１１の処理に進む。自車両が送迎用車両３に対して接触可能性がない場合（ステップＳＴ１１０：ＮＯ）、制御は終了する。
【００４９】
ステップＳＴ１１１において、制御手段１３は、自車両に対して減速又は停止制御を実施する。減速又は停止制御は、上記したように、ブレーキ装置等の作動によって実現される。これにより、自車両が減速又は停止され、送迎用車両３に対する接触を回避することが可能である。以上により、制御が終了する。
【００５０】
以上説明したように、本実施の形態によれば、送迎用車両３の特有の行動パターンをトリガにして所定の運転支援を実施することにより、送迎用車両が停止から発進する際の自車両との接触の可能性を簡易かつ安価な構成で極力回避することが可能である。また、高齢者の運転負担軽減や、漫然運転状態に陥った運転者に対する予防安全を実現することも可能である。
【００５１】
なお、上記実施の形態では、送迎用車両３を認識する際に、予め記憶した画像パターンに基づくパターンマッチングやテンプレートマッチングを実施する場合について説明したが、これに限定されない。例えば、送迎用車両３の特有の表示がデザインに基づいて前方車両が送迎用車両３であることを認識してもよい。図５は、送迎用車両の一例を示す背面図である。図５Ａに示すように、制御手段１３は、送迎用車両６の背面に表示される○○幼稚園等の表示６０を撮像画像から取得して送迎用車両６であることを認識してもよい。また、図５Ｂに示すように、制御手段１３は、送迎用車両７の外装に設けられる所定の外装部品７０を撮像画像から取得して送迎用車両７であることを認識してもよい。
【００５２】
また、本実施の形態及び変形例を説明したが、本発明の他の実施の形態として、上記実施の形態及び変形例を全体的又は部分的に組み合わせたものでもよい。
【００５３】
また、本発明の実施の形態は上記の実施の形態に限定されるものではなく、本発明の技術的思想の趣旨を逸脱しない範囲において様々に変更、置換、変形されてもよい。更には、技術の進歩又は派生する別技術によって、本発明の技術的思想を別の仕方で実現することができれば、その方法を用いて実施されてもよい。従って、特許請求の範囲は、本発明の技術的思想の範囲内に含まれ得る全ての実施形態をカバーしている。
【産業上の利用可能性】
【００５４】
以上説明したように、本発明は、前方の送迎用車両と自車両との接触の可能性を極力回避することができるという効果を有し、特に、幼稚園等のスクールバスの後方を走行する車両の運転支援装置に有用である。
【符号の説明】
【００５５】
１          ：二輪車
２          ：四輪車
３          ：送迎用車両
４          ：四輪車
５          ：四輪車
６          ：送迎用車両
７          ：送迎用車両
１０        ：運転支援装置
１１        ：前方車両検出手段
１２        ：撮像手段
１３        ：制御手段
１４        ：警告手段
１５        ：減速手段
６０        ：表示
７０        ：外装部品
Ａ          ：人物
Ｂ          ：人物
Ｃ          ：人物
Ｒ          ：撮像範囲
【図１】
2019164452.tif 000003
【図２】
2019164452.tif 000004
【図３】
2019164452.tif 000005
【図４】
2019164452.tif 000006
【図５】
2019164452.tif 000007